(57)【要約】【課題】スリーブをクランプカラー上に固定するという観点からさらに安全である解決策を提供する。【解決手段】デバイスは、物品の周りが締め付けられるのに適したベルト（１２）を有するクランプカラー（１０）、および上記ベルトの周りに配置された外側スリーブ（１６）であって、上記スリーブは、複数の固定器タブ（１８）によって上記ベルトのそばに支えられている外側スリーブ（１６）を備える。各固定器タブ（１８）は、固定ゾーン（１８Ａ）によってスリーブ（１６）へと固定され、上記固定ゾーンから、上記ベルトの内側表面と上記ベルトが周りに締め付けられるべき物品との間で挟まれる構成において上記ベルトの下で折り返されている圧迫ブランチ（１８Ｂ）に上記各固定器タブが達するまで、上記カラーの軸（Ａ）に向かって延伸する。【選択図】図１
2017190869.tif 000002
【特許請求の範囲】
【請求項１】
物品の周りが締め付けられるのに適したベルト（１２）を有するクランプカラー（１０）、および前記ベルト（１２）の周りに配置された外側スリーブ（１６）を備え、前記スリーブは、複数の固定器タブ（１８；１１８）によって前記ベルトのそばに支えられるクランプデバイスであって、
前記デバイスは、各固定器タブ（１８；１１８）が、固定ゾーン（１８Ａ；１１８Ａ）によって前記スリーブ（１６）へと固定され、前記固定ゾーンから、前記ベルトの下で折り返され、かつ前記ベルトの内側表面と前記ベルトが周りに締め付けられるべき物品との間で挟まれるような構成にされた圧迫ブランチ（１８Ｂ；１１８Ｂ）に前記各固定器タブが達するまで、前記カラーの軸（Ａ）に向かって延伸することを特徴とするクランプデバイス。
【請求項２】
前記圧迫ブランチ（１８Ｂ；１１８Ｂ）は、前記ベルト（１２）を前記物品の周りに締め付けるという効果の下で変形されるのに適していることを特徴とする請求項１に記載のデバイス。
【請求項３】
各固定器タブ（１８；１１８）の前記圧迫ブランチ（１８Ｂ；１１８Ｂ）は、前記カラーの軸（Ａ）の方向で測定して、前記ベルト（１２）の幅（ＬＣ）のうちの１０％に少なくとも等しい長さ（Ｌ１８Ｂ）を覆って延伸することを特徴とする請求項１または２に記載のデバイス。
【請求項４】
各固定器タブ（１８；１１８）の前記圧迫ブランチ（１８Ｂ；１１８Ｂ）は、前記カラーの軸（Ａ）の方向で測定して、前記ベルト（１２）の幅（ＬＣ）のうちの２０％に少なくとも等しい長さ（Ｌ１８Ｂ）を覆って延伸することを特徴とする請求項１または２に記載のデバイス。
【請求項５】
前記スリーブ（１６）は、自由な状態で、すなわち、前記スリーブが前記ベルト（１２）から隔てられている場合に、前記固定器タブ（１８；１１８）を介して前記ベルトのそばに支えられているときの前記スリーブの直径より大きい、ロールアップ直径（ＤＥ）で丸められることを特徴とする請求項１〜４のいずれか一項に記載のデバイス。
【請求項６】
前記固定器タブ（１８；１１８）は、前記ベルト（１２）の同じ側に全て位置することを特徴とする請求項１〜５のいずれか一項に記載のデバイス。
【請求項７】
各固定器タブ（１８；１１８）は、前記固定ゾーン（１８Ａ；１１８Ａ）と前記圧迫ブランチ（１８Ｂ；１１８Ｂ）との間にスペーサ部分（１８Ｃ；１１８Ｃ）を与え、前記スペーサ部分（１８Ｃ；１１８Ｃ）は、前記ベルト（１２）から間隔を空けられ、前記ベルトと前記スリーブとの間に空の空間（Ｅ）を規定することを特徴とする請求項１〜６のいずれか一項に記載のデバイス。
【請求項８】
前記スペーサ部分（１８Ｃ；１１８Ｃ）は、前記カラーの軸（Ａ）に対して実質的に垂直に延伸することを特徴とする請求項７に記載のデバイス。
【請求項９】
前記ベルト（１２）は、第１の翼および第２の翼（１２Ｃ，１２Ｄ）を与え、前記第１の翼と第２の翼との間に、前記カラーによってクランプ留めされるべき前記物品の拡がり（１Ａ，１Ｂ）を受容するのに適した内側トラフが規定され、前記翼の各々は、前記カラーの軸（Ａ）に対して傾斜していることを特徴とする請求項１〜８のいずれか一項に記載のデバイス。
【請求項１０】
前記固定器タブ（１８；１１８）の圧迫ブランチ（１８Ｂ；１１８Ｂ）は、前記同じ翼（１２Ｄ）と連携し、前記翼（１２Ｄ）に対して実質的に平行に延伸することを特徴とする請求項９に記載のデバイス。
【請求項１１】
前記固定器タブ（１１８）のうちの少なくとも１つは、自由な状態で、前記圧迫ブランチ（１１８Ｂ）に対して前記カラーの軸側にずれている少なくとも１つの保持器ブランチ（１１８Ｄ）を与える固定器かつ保持器タブであることを特徴とする請求項９または１０に記載のデバイス。
【請求項１２】
前記保持器ブランチ（１１８Ｄ）および前記圧迫ブランチ（１１８Ｂ）はともに、前記固定器かつ保持器タブの固定ゾーンの反対側にある前記固定器かつ保持器タブ（１１８）の自由端において形成され、切り欠き（１１８Ｅ）によって隔てられることを特徴とする請求項１１に記載のデバイス。
【請求項１３】
前記カラー（１０）は、前記ベルトに対して半径方向に突出する締め付け突起部（１２Ａ，１２Ｂ）を与えられるという点、および前記スリーブ（１６）は、ウインドウ（２０）を与え、前記ウインドウを超えて前記締め付け突起部が延伸することを特徴とする請求項１〜１２のいずれか一項に記載のデバイス。
【請求項１４】
前記スリーブ（１６）は、前記締め付け突起部（１２Ｂ）のうちの一方の近くに位置する第１の端部（１６Ａ）および前記ウインドウ（２０）を含みかつ前記第１の端部と連携する自由端（１６Ｂ’）を有する第２の端部（１６Ｂ）を与えることを特徴とする請求項１３に記載のデバイス。
【請求項１５】
前記スリーブ（１６）は、少なくとも１つの周囲リブ（１７）を与えることを特徴とする請求項１〜１４のいずれか一項に記載のデバイス。
【請求項１６】
前記スリーブ（１６）は、少なくとも１つの周囲リブ（１７）を与えるという点、ならびに前記周囲リブ（１７）は、前記第１の端部（１６Ａ）から前記周囲リブ（１７）が自由端（１６Ｂ’）に達するまで延伸し、前記スリーブの第１の表面上に突出部を、および反対側の第２の表面に中空部を形成するという点、ならびに自由端（１６Ｂ’）および前記第１の端部（１６Ａ）は、互いを覆い、自由端および前記第１の端部によって構成された要素のうちの一方の前記第１の表面上に前記リブによって形成される前記突出部は、前記要素のうちの他方の前記第２の表面において前記リブによって形成される前記中空部の中に入り込むことを特徴とする請求項１４に記載のデバイス。
【発明の詳細な説明】
【技術分野】
【０００１】
本開示は、物品の周りが締め付けられるのに適したベルトを有するクランプカラー、および上記ベルトの周りに配置された外側スリーブであって、上記スリーブは、複数の固定器タブによって上記ベルトのそばに支えられる外側スリーブを備えるクランプデバイスに関する。
【背景技術】
【０００２】
例示によれば、このタイプのデバイスは、特許文献１から、スリーブがカラー領域に熱保護を提供する具体例に関して公知である。
【０００３】
特に、そのデバイスは、特に、温度勾配、振動に関して、または砂礫もしくは流体のような外部要素の放射に関しても、かなりのストレスに供されるゾーンにおいて設置される。それは、上記デバイスがエンジン区画の中または輸送手段のボディーの下に設置される場合には特に当てはまる。
【０００４】
特許文献１は、スリーブを、カラーのベルトに固定するために種々の解決策を提唱している。特に、特許文献１は、スリーブをカラーの上に直接溶接またはクリンチ留めすることによって、またはスリーブから突出しかつカラーを囲い込むクリップタブによってクリップ留めすることによっても当該固定を実行することを提唱している。それらの解決策は、全体としては満足感を与えるが、より安全にするために、特に、例えば、振動もしくは衝撃の影響下で、または実際には、熱ストレスの影響下で（温度の変動は、輸送手段のエンジン区画において数百度に達し得る）、溶接もしくはクリンチ留めの破壊というリスク、または実際には、タイミング悪くクリップ留めが外れるというリスクを考慮に入れるために、カラーに対してスリーブを固定する必要性がある。
【先行技術文献】
【特許文献】
【０００５】
【特許文献１】フランス国特許第３００８１６０号
【発明の概要】
【発明が解決しようとする課題】
【０００６】
従って、本開示は、スリーブをクランプカラー上に固定するという観点からさらに安全である解決策を提供することを目的とする。
【課題を解決するための手段】
【０００７】
従って、一局面において、本開示は、物品の周りが締め付けられるのに適したベルトを有するクランプカラー、およびベルトの周りに配置された外側スリーブを備え、上記スリーブは、複数の固定器タブによって上記ベルトのそばに支えられているクランプデバイスを提供し、当該デバイスにおいて各固定器タブは、固定ゾーンによって上記スリーブに固定され、当該固定ゾーンから、上記ベルトの下に折り返され、上記ベルトの内側表面と上記ベルトが周りに締め付けられるべき物品との間で挟まれるように構成されている圧迫ブランチに上記固定器タブが達するまで、上記カラーの軸に向かって延伸する。
【０００８】
便宜上、３個または４個の固定器タブが設けられてもよい。しかし、それらのうちの２個、または４個より多くを設けることも可能である。上記固定器タブは、固定ゾーンによってスリーブに固定される。
【０００９】
以下で認められ得るように、スリーブは、カラーの軸に沿って特定して、特にその幅に関して比較的大きい寸法であり得る。その結果として、タブとスリーブとの間の固定ゾーンに関して満足のいく表面積が利用できる。結果として、例えば、溶接またはクリンチ留めによって作製される固定器タブとスリーブとの間の固定は、大きな面積で作製され得、従って、破壊というリスクに滅多にあわないと考えられる。
【００１０】
主には、タブとカラーとの間を固定するにあたって困難がある。なぜならこの固定は、カラーが上に配置される物品の周りをクランプ留めすることを上記カラーが主に提供しなければならないという事実から、縮小したサイズの領域の中で、またはより複雑である形状に対して行われなければならないからである。本開示において、固定器タブとカラーとの間の固定は、ベルトの内側表面と上記ベルトが周りに締め付けられるべき物品との間で挟まれる圧迫ブランチによって提供される。その締め付け力は相当なものであるので、挟むことによって、圧迫ブランチを効率的にかつ非常に信頼性の高い様式で、上記カラーの下に保持することは可能である。そのような様式では、使用中の場合には、および極限の条件（特に、温度勾配、振動、または衝撃に関して）の中ですら、上記ブランチは、カラーがクランプ留めされたままである限りは、十分に挟まれたままであり、そしてスリーブが上記カラーの周りに適所に保持されることを確実にする。
【００１１】
必要に応じて、圧迫ブランチは、ベルトを物品の周りに締め付けるという効果の下で変形されるのに適している。
【００１２】
必要に応じて、各固定器タブの圧迫ブランチは、上記カラーの軸の方向で測定して、上記ベルトの幅のうちの１０％に少なくとも等しい、好ましくは、２０％に少なくとも等しい長さで延伸する。
【００１３】
一局面において、スリーブは、自由な状態で、すなわち、上記スリーブがベルトから隔てられている場合に、固定器タブを介して上記ベルトのそばに支えられている場合の上記スリーブの直径より大きいロールアップ直径で丸められる。
【００１４】
例示によれば、スリーブは、オープンタイプ（すなわち、上記スリーブがその第１の端部からその第２の端部に達するまで丸められる）であり、当該端部は、互いに固定されない。この構成において、上記スリーブを上記カラーに設置するために、圧迫ブランチが上記カラーのベルトの下に入り込み得るように、その直径を減少するために半径方向に上記スリーブを圧迫し、次いで、上記スリーブがその自由な状態の直径へと弾性的に戻る傾向の結果として、上記圧迫ブランチが上記カラーのベルトの下で保持されるように、上記スリーブに対して発揮される半径方向の圧力を単に解放することは容易である。
【００１５】
必要に応じて、固定器タブは、ベルトの同じ側に全て位置する。
【００１６】
この構成において、および例示によれば、種々のタブの圧迫ブランチは、スリーブのブランチがベルトの下を通過し得るように上記スリーブが半径方向に圧迫される間に、スリーブをカラーの軸に対して平行移動して動かすだけで、上記カラーのベルトの下にもってこられ得る。
【００１７】
一局面において、各固定器タブは、固定ゾーンと圧迫ブランチとの間でスペーサ部分を与え、当該スペーサ部分は、ベルトから間隔を空けられ、上記ベルトとスリーブとの間で空の空間を規定する。
【００１８】
スペーサ部分は、カラーのベルトから半径方向に距離をとってスリーブを維持する。これは、場合によっては、上記スリーブによって果たされる機能にとって有利であり得る。例示によれば、上記スペーサ部分によって、上記スリーブは、上記カラーのベルトと接触しておらず、上記スリーブが熱保護のために使用される場合に、上記スリーブと上記カラーとの間での伝導によって熱が伝えられないような様式で、上記ベルトからも比較的離れている。別の例では、上記スリーブは、砂礫または衝撃に対して保護するために使用され得、上記スリーブが比較的強い衝撃によってわずかに変形されるとしても、その変形が上記カラーに影響を及ぼすことなく、上述の空の空間において吸収されることを可能にする距離で維持され得る。
【００１９】
必要に応じて、スペーサ部分は、カラーの軸に対して実質的に垂直に延伸する。
【００２０】
これは、固定器タブとカラーとの間の接触面積を制限することを可能にする。実際に、その接触ゾーンは、圧迫ブランチに相当するが、固定器タブは、上記圧迫ブランチおよびスペーサ部分が一緒に接続されると直ぐに、上記カラーから離れるように動く。
【００２１】
一局面において、ベルトは、第１のおよび第２の翼を与え、当該翼の間には、カラーによってクランプ留めされるべき物品の拡がりを受容するのに適した内側トラフが規定され、当該翼の各々は、上記カラーの軸に対して傾斜している。
【００２２】
例示によれば、上記カラーは、上述の拡がりを形成するそれらそれぞれの端部を介して互いに接続される２本の類似のチューブによって構成される物品をクランプ留めするように働き得、当該拡がりは、上記カラーのベルトの内側トラフの中に収容される。これは、例えば、特許文献１に記載される。
【００２３】
必要に応じて、上記固定器タブの圧迫ブランチは、その同じ翼と連携し、当該翼に対して実質的に平行に延伸する。
【００２４】
必要に応じて、上記固定器タブのうちの少なくとも１つは、自由な状態で、上記圧迫ブランチに対して上記カラーの軸側にずれている少なくとも１つの保持器ブランチを与える固定器かつ保持器タブである。
【００２５】
以下で認められ得るように、保持器ブランチは、カラーを締め付ける前に、事前付着の場合でベルトの内側でクランプ留めされるべき物品の拡がりを保持するために使用され得る。用語「自由な状態で」とは、固定器かつ保持器タブが、物品に対するカラーの締め付けストレスに未だ供されていない状態を意味する。特に、それは、上記カラーが締め付けられずに、上記スリーブが上記固定器タブによって上記カラーに固定される状態である。
【００２６】
必要に応じて、保持器ブランチおよび圧迫ブランチはともに、固定器かつ保持器タブのその固定ゾーンの反対側にある自由端において形成され、それらは、切り欠きによって隔てられる。
【００２７】
一局面において、カラーは、ベルトに対して半径方向に突出する締め付け突起部を与え、スリーブは、ウインドウを与え、当該ウインドウを超えて上記締め付け突起部が延伸する。
【００２８】
従って、スリーブが締め付け突起部上の適所にある場合、カラーを締め付けるために締め付け突起部にアクセスすることは容易である。
【００２９】
一局面において、スリーブは、締め付け突起部のうちの１つの近位に位置した第１の端部、およびウインドウを含みかつ上記第１の端部と連携する自由端を有する第２の端部を与える。
【００３０】
一局面において、スリーブは、少なくとも１つの周囲リブを与える。
【００３１】
周囲リブは、スリーブを強化する、すなわち、その自由な状態の直径に向かって弾性的に戻る傾向を促進するために、上記スリーブを周囲方向に硬くすることを可能にする。
【００３２】
必要に応じて、周囲リブは、第１の端部から、上記周囲リブが自由端に達するまで延伸し、スリーブの第１の表面上に突出部を、およびその反対側の第２の表面において中空部を形成し、上記自由端および上記第１の端部は互いを覆い、上記自由端および上記第１の端部によって構成される要素のうちの一方の第１の表面上のリブによって形成される突出部は、上記要素のうちの他方の第２の表面において上記リブによって形成される中空部の中に入り込む。
【００３３】
このような形状にすると、上記スリーブの直径が上記カラーの締め付けの間に減少される場合に互いに対して上記自由端および上記第１の端部をガイドすることが可能になり、これら２つの要素が互いに対して適切に位置づけられることを確実にするように働く。
本開示は、非限定的な例によって示される実施形態の以下の詳細な説明を読めば、十分に理解され得る。その説明は、添付の図面に言及する。ここで：
【図面の簡単な説明】
【００３４】
【図１】図１は、本開示のデバイスの斜視図である。
【図２】図２は、図１の矢印ＩＩに沿って見た図１のデバイスの側面図である。
【図３】図３は、図２の断面ＩＩＩの断面図である。
【図４】図４は、固定器タブの斜視図である。
【図５】図５は、固定器タブを支える単一のスリーブの斜視図である。
【図６】図６は、図１の図に類似であるが、変形例の実施形態を示す図である。
【図７】図７は、図６の矢印Ｖに沿って見た側面図である。
【図８】図８は、図７の断面ＶＩＩＩの断面図である。
【図９】図９は、上記カラーを締め付ける前および締め付けた後の変形例の実施形態における固定器タブの斜視図である。
【図１０】図１０は、上記カラーを締め付ける前および締め付けた後の変形例の実施形態における固定器タブの斜視図である。
【発明を実施するための形態】
【００３５】
図１は、半径方向に立ち上がっている締め付け突起部（それぞれ、１２Ａおよび１２Ｂ）を有するベルト１２とともにクランプカラー１０を備えるクランプデバイスを示す。これら突起部は、締め付けボルト１４のロッド１４Ｂが貫通する穴とともに設けられ、当該ボルトの頭部１４Ａは、突起部１２Ａを支持し、ナット１４Ｃによって突起部１２Ｂに対して締め付けられ得る。さらに、締め付け力をまっすぐにし、締め付けの質を増大させるために、スペーサ１４Ｄは、ナット１４Ｃと突起部１２Ｂとの間に配置され得る。
【００３６】
クランプデバイスはまた、ベルト１２の周りに配置されている、カラーのそばに支えられる外側スリーブ１６を備える。特に、図１〜３を考慮する場合、スリーブがカラーのベルト１２の周りを囲み、おそらく、さらにはベルトの幅ＬＣより大きな幅ＬＭを覆って軸方向に延伸する（当該幅は、カラーの軸Ａに対して平行に測定される）ことは、理解されるべきである。スリーブは、ベルトの一方の側から、または実際には、当該ベルトの両側から軸方向に突出し得る。さらに、スリーブは、ベルトを部分的にのみ囲って、３６０°未満の角度範囲を覆って延伸し得る。
【００３７】
スリーブは、複数の固定器タブ１８によってベルトのそばに支えられる。この例において、４個の固定器タブが示される。各固定器タブは、特に図１および３において認められ得るように、固定ゾーン１８Ａによってスリーブに固定され、固定ゾーンから、ベルト１２の下で折りたたまれる圧迫ブランチ１８Ｂに各固定器タブが達するまで、カラーの軸Ａに向かって延伸する。
【００３８】
本発明の意味において、内側の方向は、カラーの軸Ａに半径方向に向かって進む方向であるとみなされる。さらに、圧迫ブランチがベルトの下で折りたたまれると述べることは、当該ブランチがカラーの内側に接している、すなわち、ベルトと軸Ａとの間にあることを意味する。概して、ある要素が別の要素の下に位置づけられると述べられる場合、それは、その要素が当該他方の要素と軸Ａとの間にあることを意味する。
【００３９】
さらに、固定器タブ１８は、固定ゾーン１８Ａと圧迫ブランチ１８Ｂとの間で延伸するスペーサ部分１８Ｃを与える。特に図３で示されるように、スペーサ部分は、ベルト１２とスリーブ１６との間に空の空間Ｅを規定する。この例では、固定器タブは、スリーブの下で固定され、固定ゾーン１８Ａは、スリーブの内側表面と連携する。上記のように、スリーブは、軸方向に測定して、比較的大きな幅ＬＭを与え得る。従って、固定器タブの固定ゾーン１８Ａとスリーブの内側表面との間の接触ゾーンは、比較的大きくてもよく、このことによって強い固定が可能になる。特に、固定ゾーンは、溶接するかまたは例えば、１ｃｍ２程度の比較的大きな面積を覆ってクリンチ留めすることによって、スリーブに固定され得る。これは、固定器タブとスリーブとの間の極めて強い固定を担保し、振動、温度変化または高い衝撃の影響下ですら、固定が希にしか破壊を受けないことを可能にする。
【００４０】
示される例では、カラーのベルト１２は、カラーによってクランプ留めされるべき物品の拡がりを受容するのに適した内側トラフを与えるタイプのベルトである。より正確には、図３において認められ得るように、ベルト１２は、第１の翼１２Ｃおよび第２の翼１２Ｄを与え、その間にトラフが規定される。例示によれば、カラーは、欧州特許第１４５１４９８号および同第２５９８７８５号に記載されるものと同じタイプのカラーである。この例では、カラーによってクランプ留めされるべき物品は、一緒に接続される２本のチューブ、すなわち、第１のクランプ表面１Ａを規定するフレア部分を与える第１のチューブ１および第２のクランプ表面２Ａを規定するフレア部分を与える第２のチューブ２によって形成される。チューブを一緒に接続するために、この２つのクランプ表面１Ａおよび２Ａは、互いに向かって動かされ、従って、クランプ留めされるべき物品の拡がりを形成し、当該拡がりは、ベルトのトラフの中に受容される。実際に、チューブ１Ａは、第１のクランプ表面１Ａを形成するフレア部分の頂部から第１のチューブの自由端に向かって、軸Ａに近づくように延伸する端部スカート１Ｂを与える。従って、クランプ表面２Ａを形成するフレア部分の内側表面は、２本のチューブが組み立てられる場合に、当該スカート１Ｂの上に位置する。
【００４１】
具体的には、示されるデバイスは、欧州特許第２５９８７８５号（その内容は本明細書に参考として援用される）に記載されるタイプの事前付着ワッシャを含む。本開示では、当該ワッシャは、簡潔に記載されるのみである。より詳細に関しては、上述の特許が考慮され得る。ワッシャ２８は、カラーに固定され、スカート１Ｂとクランプ表面２Ａを形成するフレア部分の内側表面との間に配置される円錐台形環状部分３０、およびワッシャをベルトに対して保持しかつ事前付着の場合に、カラーをクランプ留めする前にチューブ１および２の組み立てられた端部をベルト１２の下に保持するようにも働くタブの両方を与える。特に、ワッシャは、ベルトの翼１２Ｃの内側表面を支持するための内側タブ（これらタブは、示されない）、および翼１２Ｃの外側を覆って折りたたまれる外側タブ３４を与えてもよく、方向Ｆでベルトに対して動くことに対向して第２のチューブを保持するために、クランプ表面２Ａを支持する自由端を有する舌部３８を与えてもよい。ワッシャ２８は、タブ４０をさらに与える。このタブ４０は、円錐台形部分３０から、クランプ表面１Ａの頂部を乗り越えるために軸Ａからわずかに遠ざかり、事前付着の場合にクランプ表面１Ａを保持する折り目４０Ａを与えるために軸Ａに近づき、次いで、軸から再び遠ざかって、ベルトに対して保持されるように、翼１２Ｄの外側を覆って折りたたまれる。
【００４２】
クランプタブ１８を有するスリーブが、このような事前付着ワッシャの存在と完全に適合性であることは、観察されるべきである。特に、図２において認められ得るように、タブ１８は、タブ４０に干渉しない。なぜならタブ１８は、タブ４０の間で円周状に位置するからである。
【００４３】
しかし、本開示のスリーブが、内方ワッシャを有しないカラー上に、および内側トラフを有しないカラー上にも設けられ得ることは、理解されるべきである。
【００４４】
カラーおよび保護スリーブは、金属から、例えば、ステンレス鋼から作製され得る。図３において認められ得るように、カラーのベルトは、必要とされる締め付け力を発揮し得るために、比較的厚くてもよい。対照的に、ワッシャ２８は、変形可能である（すなわち、ベルトより容易に顕著に変形可能）。その厚みがベルトの厚みより小さいことは、理解され得る。特に、ワッシャは、ベルトより薄い金属片で作製される。
【００４５】
図３は、その同じことが、特に、ワッシャと同じ材料から作製され得、同じ厚みを有し得る締め付けタブ１８に当てはまることを示す。例示によれば、タブ１８の厚みｅ１８は、ベルトの厚みｅ１２のうちの１０％〜４０％の範囲にあり得る。従って、固定器タブ１８は、容易に変形され得る。
【００４６】
これは、それらの圧迫ブランチ１８Ｂに関して特に有利である。図３は、圧迫ブランチ１８Ｂが、カラーを締め付ける前に、ベルトの翼１２Ｄに内側表面に対して押しつけられることを示すが、これは、そうされる必要はない。圧迫ブランチは、翼１２Ｄの傾斜とは異なる、軸Ａに対する傾斜を最初に有し得る（例えば、翼１２Ｄより小さく傾斜している）。しかし、カラーの締め付けの間に、圧迫ブランチは、ワッシャ２８のように変形して、ベルトの内側表面の形状をとり、締め付けを妨げない。
【００４７】
図３は、固定器タブ１８の圧迫ブランチ１８Ｂが、カラーの軸Ａに対して平行に測定して、長さＬ１８Ｂ（同様にカラーの軸の方向で測定して、ベルトの幅ＬＣのうちの３０％程度である）を覆って延伸することを示す。特に、長さＬ１８Ｂは、幅ＬＣのうちの１０％に少なくとも等しくてもよいし、さらには少なくとも２０％に少なくとも等しくてもよい。このことは、タブをカラーの下に有効にかつ効率的に保持するために十分である長さで挟むことを確実にする。さらに、圧迫ブランチが翼１２Ｃまで延伸することは、可能である。
【００４８】
スリーブ１６は、ロールアップ直径ＤＥで丸められる。図５は、自由な状態にあるスリーブを示し、この場合、当該直径ＤＥは、カラーを締め付ける前ですら、スリーブがベルトのそばに支えられているときのスリーブの直径よりわずかに大きい。さらに、図１〜３は、固定器タブ１８が全てベルト１２の同じ側に位置することを示す。スリーブが単独で、カラーに付着されずに考慮される場合、固定器タブ１８は、そうすると、図５で示されるように、スリーブの同じ半径方向のエッジ表面に全て位置する。さらに、図５はまた、スリーブが、具体的にはウインドウ２０のエッジ上に形成される第１の端部１６Ａと第２の端部１６Ｂとの間で丸められ、このウインドウ２０を超えて、締め付け突起部１２Ａおよび１２Ｂが延伸することを示す。特に、図１は、スリーブの第１の端部１６Ａが、付着した状態では、突起部１２Ｂと同じ側に位置することを示す。スリーブの第２の端部の自由端１６Ｂ’は、第１の端部１６Ａと相対的にスライドして連携する。従って、自由な状態にあるその直径に対して、スリーブの直径は、半径方向の圧縮によって減少され得るに過ぎない。
【００４９】
この実施形態において、スリーブの第２の端部１６Ｂが、具体的には、ウインドウ２０に円周状に境をなす舌部を形成することは、観察されるべきである。これは、スリーブがクランプ留めされるべき物品を超えて延伸し、上述の舌部が、カラーを締め付けるための手段と並んで軸方向にあることを可能にする。
【００５０】
当然のことながら、上記例が、ウインドウの単一の円周状のエッジ上に単一の舌部を示すとしても、特に、スリーブが、特許文献１に記載されるようにチューブ２をさらに覆って延伸するような様式で、図３に示される方向Ｆで軸方向に延伸される場合、ウインドウの２つの円周状のエッジの各々の上に２つの舌部が存在し得ることは、理解されるべきである。
【００５１】
しかし、スリーブの第２の端部はまた、第１の端部に類似であってもよく、ウインドウ２０と軸方向に境をなしていてもよい。当該構成において、図５に示される切り欠き線１６Ｄは、スリーブの幅全体を覆って延伸する。
【００５２】
上述の可能性のうちのいずれか１つにおいて、半径方向の圧縮を使用することによって、スリーブの直径を減少することは可能である。さらに、自由な状態で、圧迫ブランチが、それらの自由端がカラーの軸からそれるように、わずかに持ち上げられるフックへと曲げられることは、理解され得る。従って、カラーを締め付ける前に、スリーブをカラーに設置するために、スリーブを、圧迫ブランチの自由端がともにベルトの翼１２Ｄの内側エッジの直径より小さい直径を規定する様式でスリーブの直径が減少されるまで半径方向に圧縮し、次いで、スリーブを、圧迫ブランチがベルトの下に挿入されるまで軸方向に動かし、次に、圧迫ブランチをベルトの内側表面に押し付ける寸法へと弾性的に戻るように、スリーブに作用する半径方向のストレスを解放するだけで、十分である。従って、スリーブが適所にある場合、固定器タブ１８は、ベルトの同じ翼１２Ｄと連携し、圧迫ブランチは、当該翼に実質的に並行して延伸する。
【００５３】
特に、図３および５では、スリーブ１６が周囲リブ１７を与えることは、さらに認められ得る。例示によれば、このリブは、半径方向のエッジ表面において、スリーブの円周に沿って延伸するボスによって形成される。リブは、その自由な状態の直径に向かって弾性的に戻るための所望の特性をスリーブに与えるような様式で、スリーブを硬くするように働き得る。
【００５４】
さらに、周囲リブ１７は、具体的には、スリーブの第１の端部１６Ａから、周囲リブ１７が自由端１６Ｂ’に達するまで延伸する。周囲リブ１７は、スリーブの外側表面上に突出部を、その内側面に中空部を形成する。自由端１６Ｂ’および第１の端部１６Ａは、互いに重なる。具体的には、自由端１６Ｂ’が第１の端部１６Ａの内側に延伸することが理解されるべきである。この構成において、自由端の外側表面にリブ１７によって形成される突出部は、第１の端部１６Ａの内側表面にリブが形成する中空部の中へと入り込む。このリブは、スリーブの直径が改変される場合、特に、当該スリーブが設置されかつカラーを締め付ける間にある場合に、自由端と第１の端部１６Ａとの間にガイダンスを設けるといわれ得る。これはまた、スリーブの良好な軸方向の強度を確実にするために、第２の端部１６Ｂで形成される舌部を、第１の端部１６Ａに対して軸方向に押し込むことを可能にする。
【００５５】
当然のことながら、その形状は、中空部が外側表面にあるような様式でリブを作製することによって、逆にされ得る。上述のタイプの複数のリブもまた設けられ得る。さらに、スリーブの軸方向のエッジ１７Ａおよび１７Ｂが、多少外側に持ち上げられることは、観察されるべきである。第２の端部１６Ｂにおいてこのようにして持ち上げられる場合の軸方向のエッジ１７Ａは、従って、第１の端部１６Ａにおいて軸方向のエッジ１７Ａの下でかみ合い、スリーブの２つの端部をそれぞれ軸方向に押し込むことにも寄与する。
【００５６】
変形例の実施形態は、図６〜１０を参照して以下で記載される。この変形例において、カラーおよびスリーブは、上記の図中のものに同一であり、従って、同じ参照番号によって指定される。対照的に、ワッシャ２８が存在しないことは観察されるべきである。この変形例において、カラー上にスリーブを固定するための固定器タブはまた、締め付ける前に、カラーへのチューブの事前付着を確実にするように働く。具体的には、固定器タブ１１８は、これら固定器タブ１１８が固定ゾーン１１８Ａ、圧迫ブランチ１１８Ｂ、およびスペーサ部分１１８Ｃを含むという点で、上述のタブ１８に類似である。固定器タブは従って、タブ１８と全体的に同じ形状を有し、そのスペーサ部分は、具体的には、実質的に半径方向に配向される。しかし、この変形例において、固定器タブ１１８は、固定器かつ保持器タブである。従って、圧迫ブランチ１１８Ｂに加えて、固定器タブ１１８は、圧迫ブランチに対してカラーの軸側にずれている保持器ブランチ１１８Ｄを与える。図８において認められ得るように、保持器ブランチ１１８Ｄは、このようにして、自由な状態で、すなわち、カラーを締め付けてその締め付けの効果の下で当該ブランチを変形する前に、カラーの軸に向かって、圧迫ブランチ１１８Ｂよりもさらに延伸する。当該保持器ブランチは、チューブ１のクランプ表面１Ａの頂部の直径より小さい、カラーの軸に対して最小限の距離を規定する。従って、チューブ１がカラーの下に設置されている場合、クランプ表面１Ａの頂部は、当該ブランチの下を通過することで、保持器ブランチを外側に向かって曲げるようにし、次いで、保持器ブランチは、図８に示されるその支え位置に弾性的に戻る。従って、保持器ブランチは、カラーを締め付ける前に、図８に示される方向Ｇでカラーからチューブ１を引っ込めるのに対抗する。
【００５７】
クランプデバイスがまた、チューブ２のための事前付着手段で差し込まれて、方向Ｆでのその引っ込めに対抗し得ることは、観察されるべきである。図８は、欧州特許第１４５１４９８号に開示されるものに概して類似であるワッシャ１２８を示す。この説明において、当該ワッシャは、簡潔に記載される。当該ワッシャは、チューブ１とチューブ２との間に位置した円錐台形部分１３０を与え、内側タブ１３３は、ベルト１２の翼１２Ｃの内側表面を支持し、外側タブ１３４は、外側で当該翼１２Ｃのエッジと連携して、舌部１３８はチューブ２のクランプ表面２Ａを支持する。さらに、当該ワッシャは、実質的に軸方向の、それらの自由端が外側に折りたたまれた外側タブ１３９を与える。当該ワッシャ１３０は、カラーのベルトに固定され、従って、カラーの内側に事前付着された状態で第２のチューブ２を保持するように働く。従って、この２本のチューブは、カラーを締め付ける前に、クランプデバイスの内側に接続され得る。
【００５８】
特に、図９および１０は、保持器ブランチ１１８Ｄおよび圧迫ブランチ１１８Ｂがともに、その固定ゾーン１１８Ａの反対側のタブ１１８の自由端において形成されることを示す。保持器ブランチ１１８Ｄおよび圧迫ブランチ１１８Ｂは、切り欠き部分１１８Ｅによって互いから隔てられている。従って、タブ１１８の端部は、保持器ブランチおよび圧迫ブランチを備えることのみが必要である。しかし、示される例では、保持器ブランチ１１８Ｄは、２つの圧迫ブランチ１１８Ｂの間で、保持器ブランチ１１８Ｄのいずれの側にも位置した２つの切り欠き部分が形成されるような様式で配置される。
【００５９】
自由な状態で、図８および９に示されるように、保持器ブランチは、上述の事前付着を果たすような様式で、圧迫ブランチよりカラーの軸に向かってさらに延伸する。特に、保持器ブランチは、従って、軸の近くにかつカラーの翼１２Ｄの下に位置した折りたたみゾーン１１８Ｄ’を与える。上記のように、固定器タブは変形可能である。図１０は、カラーを締め付けた後のタブ１１８の外形を示し、保持器ブランチ１１８Ｄが、カラーの内側周囲とカラーによってクランプ留めされる物品との間で圧迫ブランチのように挟まれることによって、圧迫ブランチ１１８Ｂと同じ平面に戻ったことが、その図の中で示され得る。
【図１】
2017190869.tif 000003
【図２】
2017190869.tif 000004
【図３】
2017190869.tif 000005
【図４】
2017190869.tif 000006
【図５】
2017190869.tif 000007
【図６】
2017190869.tif 000008
【図７】
2017190869.tif 000009
【図８】
2017190869.tif 000010
【図９】
2017190869.tif 000011
【図１０】
2017190869.tif 000012
【外国語明細書】
2017190869000001.pdf